(57)【要約】【課題】障子の金属製框材自体に樹脂等の断熱部材を結合させなくても断熱性および意匠性に優れるとともに、コストも低減することができ、しかも採光面を大きくする。【解決手段】窓枠２と窓枠２の内側に配置された障子３とを備え、障子３の框材を金属製の框材から構成し、窓枠２を屋外側に面する金属製の金属枠２ａと屋内側に面する合成樹脂製の樹脂枠２ｂとを結合した構成とするとともに、樹脂枠２ｂによって障子３の閉鎖時に障子３の框の屋内側見付面を覆うように形成し、かつ樹脂枠２ｂのうち少なくとも上枠１２および左右の縦枠１４の各屋内側見付面を建物を構成する室内壁１ｂで覆う。【選択図】図１
2006183387.tif 000002
【特許請求の範囲】
【請求項１】
壁の開口部に嵌め込まれた窓枠と、この窓枠の内側に配置された障子とを備え、前記障子の框を金属製の框材から構成し、前記窓枠を屋外側に面する金属製の金属枠と屋内側に面する合成樹脂製の樹脂枠とを結合した構成とするとともに、前記樹脂枠によって前記障子の閉鎖時に前記障子の框の屋内側見付面を覆うように形成し、かつ前記樹脂枠のうち少なくとも上枠および左右の縦枠の各屋内側見付面は建物を構成する室内壁で略覆われていることを特徴とする断熱サッシ。
【請求項２】
前記室内壁は断熱性材料からなることを特徴とする、請求項１に記載の断熱サッシ。
【請求項３】
前記障子の框を、屋外側に面する金属製の框材と屋内側に面する合成樹脂製の框材とを結合した構成にしたことを特徴とする、請求項１に記載の断熱サッシ。
【発明の詳細な説明】
【技術分野】
【０００１】
本発明は、障子の框材が金属のみから構成されていても全体として十分な断熱性が得られるようにした断熱サッシに関する。
【背景技術】
【０００２】
従来の断熱サッシとして、窓枠の枠材と障子の框材は、それぞれ屋外側に面する基本的部分を金属によって構成するとともに、屋外側に面する部分を合成樹脂部材で被覆した複合構造のものが知られている。このようなサッシは窓枠の枠材や障子の框材がそれぞれ独立に断熱性を有するので、断熱効果には優れているものの、サッシを構成する部材の数が多くなり、コスト的に高いものになっていた。
【０００３】
また、サッシの各構成部材が独立に断熱性を有しているほか、障子を開閉のための把手が縦框に設けられていたという理由もあって、窓枠の内側に障子の框が位置するように、窓枠よりも１回り分障子の方が小さくなるような構成にするのが普通であった。このため、特許文献１の図１に示すように、室内壁の開口部よりも窓枠の開口部が小さく、さらに窓枠の開口部よりも障子の開口部（ガラス面の大きさ）が小さくなるように配置して枠材と框材の樹脂部分が屋内側からよく見えるようになっている。
【特許文献１】特開平１１−１０７６４８号公報
【発明の開示】
【発明が解決しようとする課題】
【０００４】
しかしながら、その反面、全体としては樹脂部分の使用量が多くなるから、コストが嵩むほか、室内壁の開口部よりも枠の開口部が小さく、さらに窓枠の開口部よりも障子の開口部が小さくなるので、屋外側になるほど採光面が小さくなるという問題があった。
【０００５】
本発明は前記問題点を解消し、障子の金属製框材自体に樹脂等の断熱部材を結合させなくても断熱性および意匠性に優れるとともに、コストも低減することができ、しかも採光面を大きくすることができる複合構造の断熱サッシを提供することをその課題とする。
【課題を解決するための手段】
【０００６】
前記課題を解決するため、請求項１に係る断熱サッシは、まず壁の開口部に嵌め込まれた窓枠と、この窓枠の内側に配置された障子とを備えたサッシを対象とする。
【０００７】
そして、このようなサッシにつき、障子の框を金属製の框材から構成し、前記窓枠を屋外側に面する金属製の金属枠と屋内側に面する合成樹脂製の樹脂枠とを結合した構成とするとともに、前記樹脂枠によって前記障子の閉鎖時に前記障子の框の屋内側見付面を覆うように形成し、かつ前記樹脂枠のうち少なくとも上枠および左右の縦枠の各屋内側見付面は建物を構成する室内壁で略覆われていることを特徴とする。
【０００８】
請求項２に係る断熱サッシは、前記室内壁を断熱性材料から構成したことを特徴とする。
【０００９】
請求項３に係る断熱サッシは、前記障子の框を、屋外側に面する金属製の框材と屋内側に面する合成樹脂製の框材とを結合した構成にしたことを特徴とする。
【発明の効果】
【００１０】
請求項1に係る発明によれば、樹脂枠によって前記障子の框の屋内側見付面を覆い、さらに樹脂枠の上枠および左右の縦枠の各屋内側見付面を室内壁で覆うようにしたので、樹脂枠と室内壁とにより一体的な断熱構造が構成され、たとえ障子の框材を金属製の框材のみで構成したとしても、障子框からの熱は樹脂枠と室内壁とによって断熱される。したがって、障子の金属製框材自体に樹脂等の断熱部材を結合させなくても、従来よりもむしろ高い断熱性を確保することができる。
【００１１】
また、障子に形成された開口部（ガラス面）と窓枠の開口部と室内壁の開口部とを躯体開口部と略同じにすることができるから、サッシの採光面を大きくすることができるとともに、屋内側からは樹脂枠のみが見えることになるので、障子の框が金属であっても、ガラス面の周囲の部分があたかも単一の合成樹脂材で構成されているように見え、すっきりした見栄えのよいサッシとなる。
【００１２】
さらに、障子の框材は金属だけでよいことになるから、コストダウンも可能となる。
【００１３】
請求項２に係る発明によれば、室内壁は通常は断熱性が高いが、さらに断熱性材料から構成されているので、障子の框材を金属製にしても、断熱性に優れた複合サッシとなる。
【００１４】
請求項３に係る発明によれば、さらに断熱性に優れた複合サッシとなる。
【発明を実施するための最良の形態】
【００１５】
本発明の実施形態を図１の断熱サッシについて説明する。上記サッシは壁躯体１の開口部ａに嵌め込まれた窓枠２と、この窓枠２の屋外側に水平方向に突出して開閉可能に配置された障子３とから構成された平行窓で、リンク機構によって障子が屋外側に平行に開き移動するようになっている。
【００１６】
壁躯体１は建物の躯体構造材４の屋外側に配置された屋外壁１ａと室内側に配置された室内壁１ｂとからなり、屋外壁はＡＬＣ（軽量発泡コンクリート）材によって、また、室内壁１ｂは屋外壁の屋内側に張設された断熱材５とその屋内側に張設された内装材６と壁躯体１に形成された開口部に臨む額縁７とによって構成されている。
【００１７】
なお、通常の住宅の壁躯体１も外壁材と内壁材とによって構成されているが、ここで室内壁とは室内に面するものに限定されない。通常の木製の額縁や窓台あるいは断熱材のように、開口部又はその近傍に配置されていて、窓枠の屋内側に配置されていればよく、好ましくはそれ自体に、室内に面する内装材とともに断熱性を有するものであればよい。
【００１８】
障子３は、金属製の框材、つまり上框８と下框９と左右の縦框１０とを框組みすることによって構成されている。框の内側にはペアガラス１１が嵌め込まれている。
【００１９】
窓枠２は、屋外側の金属製の金属枠２ａと屋内側の合成樹脂製の樹脂枠２ｂとを結合した構成である。金属枠２ａは枠材（金属上枠１２、下枠１３および金属縦枠１４）を方形に枠組みしたものである。また、上記金属枠２ａは壁開口部を構成する躯体構造材４へ取付けることにより、その内周面と屋内側面は屋内側に露出する。そこで、断熱性を確保するため、この内周面には合成樹脂製の樹脂枠２ｂが結合されている。
【００２０】
すなわち、金属枠の屋内側には内周面に沿って連続する凹部１５が形成され、凹部１５には係止部１６が形成されている。これに対し、樹脂枠２ｂは合成樹脂製樹脂枠材（樹脂上枠１７、下枠１８と樹脂縦枠１９）を方形に枠組みしたもので、各樹脂枠材には中空部２０が形成され、断熱性を有効に確保している。そして、各樹脂枠材の外方部分は窓枠２の凹部１５に嵌合されているとともに、上記外方部分に形成した係止片２１が窓枠２の凹部１５の係止部１６に係止されている。
【００２１】
そして、樹脂枠２ｂの屋外側は、障子３の閉鎖時には障子３の框材８、９、１０の屋内側見付面を覆うように配置されている。また、障子３の開口部（ペアガラス１１の面）と樹脂枠２ｂの内周に形成された開口部とはほぼ屋内外方向に略面一になるように配置されている。
【００２２】
なお、樹脂下枠１８は外方の下部下枠１８ａと上部下枠１８ｂとからなり、上部下枠１８ｂの係止突部２２を下部下枠１８ａの係止凹部２３に係止させることにより、一体に結合するように形成されている。したがって、上部下枠１８ｂはオペレータ本体２４を取付けた後に下部下枠１８ａに対して後付けすることができる。
【００２３】
次に、樹脂枠２ｂの屋内側には取付縁２５が突出形成され、室内壁１ｂの一部で躯体開口部ａを規定する木製額縁７に固定されている。額縁７の外周には断熱材５と内装材６とが張設され、断熱材５と内装材６との間の空間には、桟２６が配置されている。断熱材５としては、ボード状のグラスウールやロックウールあるいはフェノールフォームなどを利用すればよい。このように、断熱材５はもちろんのこと、室内壁１ｂを構成する内装材６も額縁７も、木材など、断熱性の高い材料を選択するのが好ましい。
【００２４】
また、上記樹脂枠２ｂ（樹脂下枠１８の下部下枠１８ａ）の内周に形成された開口部と額縁７によって形成された開口部とは躯体開口部ａとほぼ屋内外方向に略面一になるように配置されている。
【００２５】
次に、上記障子３と窓枠２とは公知のリンク機構（図示せず）を介して連結され、屋内側から下枠に配置されたハンドル２７を回転操作することによりリンク機構を作動させることにより、障子３を図２の点線で示すように屋外側に平行に移動して開き又は閉じ作動するようになっている。
【００２６】
上記構成によれば、樹脂枠２ｂによって前記障子３の框材の屋内側見付面を覆い、さらに樹脂枠２ｂを室内壁１ｂで覆うようにしたので、樹脂枠２ｂと室内壁１ｂとにより断熱構造が構成され、たとえ障子３の框材を金属製の框材のみで構成したとしても、障子框材からの熱は樹脂枠２ｂと室内壁１ｂとによって断熱される。
【００２７】
実験例によれば、前記特許文献１と同じ構成のサッシと図１、図２に示したサッシについて、それぞれ上枠部、下枠部および縦枠部の屋内外の通過熱量を比較すると、後者の数値の方が２２〜３５％ほど小さく、従来よりもむしろ断熱性能に優れていることが確認された。
【００２８】
また、１点鎖線で示されるように障子３に形成された開口部（ガラス１１の面）と窓枠２の開口部と室内壁１ｂの開口部とを躯体開口部ａと略同じ大きさにすることができるから、サッシの採光面を大きくすることができるとともに、屋内側からは樹脂枠２ｂのみが見えることになるので、障子３の框材が金属であっても、ガラス１１の面の周囲の部分があたかも単一の合成樹脂材で構成されているように見え、すっきりした見栄えのよいサッシとなる。
【００２９】
さらに、障子３の框材は金属だけでよいことになるから、コストダウンも可能となる。
【００３０】
なお、窓枠２や室内壁１ｂの開口部の大きさは必ずしも障子３の開口部と一致させる必要はない。例えば、図３のように、樹脂上枠１７の室内側部分１７ａを上向きに傾斜させて室内壁１ｂの額縁７の高さをより高くすることによって一層効率的な採光を可能にすることもできる。縦枠や下枠についても同様である。
【００３１】
また、障子の框を金属単体でなく、図４のように上框８、下框９の屋外側に面する金属製の框材８ａ、９ａと屋内側に面する合成樹脂製の框材８ｂ、９ｂとを結合した複合構成にしてもよい。縦框の框材も同様である。
【００３２】
また、樹脂枠の全ての屋内側見付面が室内壁で覆われる必要はなく、少なくとも上枠および左右の縦枠の各屋内側見付面が室内壁でほぼ覆われていればよい。
【００３３】
さらに、上記断熱サッシは、平行窓だけでなく、横辷り出し窓や、縦滑り窓、ＦＩＸ窓等の窓にも適用することができる。
【図面の簡単な説明】
【００３４】
【図１】本発明に係るサッシの従断面図である。
【図２】上記サッシの横断面図である。
【図３】他のサッシの例の縦断面図である。
【図４】他の障子の上下框の例を示す断面図である。
【符号の説明】
【００３５】
ａ    躯体開口部
１ｂ  室内壁
２    窓枠
２ａ  金属枠
２ｂ  樹脂枠
３    障子
【図１】
2006183387.tif 000003
【図２】
2006183387.tif 000004
【図３】
2006183387.tif 000005
【図４】
2006183387.tif 000006